【手続補正書】
【提出日】平成27年6月26日(2015.6.26)
【手続補正１】
【補正対象書類名】明細書
【補正対象項目名】０００８
【補正方法】変更
【補正の内容】
【０００８】
（１）記録材を収容する収容部と、記録材を搬送する第一搬送部と、記録材の搬送方向において前記第一搬送部よりも下流側に設けられ、記録材の先端及び後端を検知する第一検知部と、前記搬送方向において前記第一検知部よりも下流側に設けられ、記録材を搬送する第二搬送部と、前記搬送方向において前記第二搬送部よりも下流側に設けられ、記録材の先端及び後端を検知する第二検知部と、前記第一搬送部及び前記第二搬送部を駆動する駆動部と、前記第一検知部又は前記第二検知部の検知結果に基づいて、前記駆動部を制御する制御部と、を有する画像形成装置において、第一記録材の後端と前記第一記録材の次に搬送される第二記録材の先端の間の搬送路上における距離が、前記第一検知部と前記第二検知部の間の搬送路上における距離以上の所定の距離となるように、前記第一記録材と前記第二記録材が前記収容部から搬送される場合であって、前記第一検知部が前記第一記録材の後端と前記第二記録材の先端を検知することによって得られる、前記第一記録材の後端と前記第二記録材の先端の間の前記距離が前記所定の距離よりも短い場合、前記制御部は前記駆動部を制御し、前記第一記録材の後端が前記第二検知部を通過した後に前記第二記録材の搬送速度を所定の速度から前記所定の速度よりも遅い速度に変更し、前記第一記録材の後端と前記第二記録材の先端の間の前記距離が前記所定の距離よりも長い場合、前記制御部は前記駆動部を制御し、前記第二記録材の先端が前記第二検知部に到達する前に前記第二記録材の搬送速度を前記所定の速度から前記所定の速度よりも速い速度に変更することを特徴とする画像形成装置。
（２）記録材を収容する収容部と、記録材を搬送する第一搬送部と、記録材の搬送方向において前記第一搬送部よりも下流側に設けられ、記録材の先端及び後端を検知する第一検知部と、前記搬送方向において前記第一検知部よりも下流側に設けられ、記録材を搬送する第二搬送部と、前記第一搬送部及び前記第二搬送部を駆動する駆動部と、前記第一検知部の検知結果に基づいて、前記駆動部を制御する制御部と、を有する画像形成装置において、第一記録材の後端と前記第一記録材の次に搬送される第二記録材の先端の間の搬送路上における距離が、前記第一搬送部と前記第二搬送部の間の搬送路上における距離以上の所定の距離となるように、前記第一記録材と前記第二記録材が前記収容部から搬送される場合であって、前記第一検知部が前記第一記録材の後端と前記第二記録材の先端を検知することによって得られる、前記第一記録材の後端と前記第二記録材の先端の間の前記距離が前記所定の距離よりも短い場合、前記制御部は前記駆動部を制御し、前記第一記録材の後端が前記第二搬送部を通過した後に前記第二記録材の搬送速度を所定の速度から前記所定の速度よりも遅い速度に変更し、前記第一記録材の後端と前記第二記録材の先端の間の前記距離が前記所定の距離よりも長い場合、前記制御部は前記駆動部を制御し、前記第二記録材の先端が前記第二搬送部に到達する前に前記第二記録材の搬送速度を前記所定の速度から前記所定の速度よりも速い速度に変更することを特徴とする画像形成装置。
（３）記録材を収容する収容部と、記録材を搬送する第一搬送部と、記録材の搬送方向において前記第一搬送部よりも下流側に設けられ、記録材の到達を検知する第一検知部と、前記搬送方向において前記第一検知部よりも下流側に設けられ、記録材を搬送する第二搬送部と、前記搬送方向において前記第二搬送部よりも下流側に設けられ、記録材の到達を検知する第二検知部と、前記第一搬送部及び前記第二搬送部を駆動する駆動部と、前記第一検知部又は前記第二検知部の検知結果に基づいて、前記駆動部を制御する制御部と、を有する画像形成装置において、前記第一検知部による記録材の検知タイミングが基準のタイミングよりも早い場合、前記制御部は前記第二検知部による記録材の検知タイミングに応じて前記駆動部を制御し、記録材の搬送速度を所定の速度から前記所定の速度よりも遅い速度に変更し、前記第一検知部による前記検知タイミングが前記基準のタイミングよりも遅い場合、前記制御部は前記第一検知部による前記検知タイミングに応じて前記駆動部を制御し、記録材が前記第二検知部に到達する前に記録材の搬送速度を前記所定の速度から前記所定の速度よりも速い速度に変更することを特徴とする画像形成装置。
【手続補正２】
【補正対象書類名】明細書
【補正対象項目名】０００９
【補正方法】削除
【補正の内容】
【手続補正３】
【補正対象書類名】特許請求の範囲
【補正対象項目名】全文
【補正方法】変更
【補正の内容】
【特許請求の範囲】
【請求項１】
記録材を収容する収容部と、
記録材を搬送する第一搬送部と、
記録材の搬送方向において前記第一搬送部よりも下流側に設けられ、記録材の先端及び後端を検知する第一検知部と、
前記搬送方向において前記第一検知部よりも下流側に設けられ、記録材を搬送する第二搬送部と、
前記搬送方向において前記第二搬送部よりも下流側に設けられ、記録材の先端及び後端を検知する第二検知部と、
前記第一搬送部及び前記第二搬送部を駆動する駆動部と、
前記第一検知部又は前記第二検知部の検知結果に基づいて、前記駆動部を制御する制御部と、を有する画像形成装置において、
第一記録材の後端と前記第一記録材の次に搬送される第二記録材の先端の間の搬送路上における距離が、前記第一検知部と前記第二検知部の間の搬送路上における距離以上の所定の距離となるように、前記第一記録材と前記第二記録材が前記収容部から搬送される場合であって、
前記第一検知部が前記第一記録材の後端と前記第二記録材の先端を検知することによって得られる、前記第一記録材の後端と前記第二記録材の先端の間の前記距離が前記所定の距離よりも短い場合、前記制御部は前記駆動部を制御し、前記第一記録材の後端が前記第二検知部を通過した後に前記第二記録材の搬送速度を所定の速度から前記所定の速度よりも遅い速度に変更し、
前記第一記録材の後端と前記第二記録材の先端の間の前記距離が前記所定の距離よりも長い場合、前記制御部は前記駆動部を制御し、前記第二記録材の先端が前記第二検知部に到達する前に前記第二記録材の搬送速度を前記所定の速度から前記所定の速度よりも速い速度に変更することを特徴とする画像形成装置。
【請求項２】
前記第一記録材の後端と前記第二記録材の先端の間の前記距離が前記所定の距離よりも短い場合、前記制御部は前記第二検知部によって前記第二記録材の先端を検知したタイミングに基づいて前記第二記録材の搬送速度及び搬送時間を算出し、算出した前記搬送速度及び前記搬送時間で前記第二記録材を搬送させるように前記駆動部を制御し、
前記第一記録材の後端と前記第二記録材の先端の間の前記距離が前記所定の距離よりも長い場合、前記制御部は前記第一検知部によって前記第二記録材の先端を検知したタイミングに基づいて前記第二記録材の搬送速度及び搬送時間を算出し、算出した前記搬送速度及び前記搬送時間で前記第二記録材を搬送させるように前記駆動部を制御することを特徴とする請求項１に記載の画像形成装置。
【請求項３】
前記第一記録材の後端と前記第二記録材の先端の間の前記距離が前記所定の距離よりも短い場合、前記制御部は前記第二検知部によって前記第二記録材の先端を検知したタイミングから前記駆動部を制御し、前記第二記録材の速度の減速を開始させ、
前記第一記録材の後端と前記第二記録材の先端の間の前記距離が前記所定の距離よりも長い場合、前記制御部は前記第一検知部によって前記第二記録材の先端を検知したタイミングから前記駆動部を制御し、前記第二記録材の速度の加速を開始させることを特徴とする請求項２に記載の画像形成装置。
【請求項４】
記録材を収容する収容部と、
記録材を搬送する第一搬送部と、
記録材の搬送方向において前記第一搬送部よりも下流側に設けられ、記録材の先端及び後端を検知する第一検知部と、
前記搬送方向において前記第一検知部よりも下流側に設けられ、記録材を搬送する第二搬送部と、
前記第一搬送部及び前記第二搬送部を駆動する駆動部と、
前記第一検知部の検知結果に基づいて、前記駆動部を制御する制御部と、を有する画像形成装置において、
第一記録材の後端と前記第一記録材の次に搬送される第二記録材の先端の間の搬送路上における距離が、前記第一搬送部と前記第二搬送部の間の搬送路上における距離以上の所定の距離となるように、前記第一記録材と前記第二記録材が前記収容部から搬送される場合であって、
前記第一検知部が前記第一記録材の後端と前記第二記録材の先端を検知することによって得られる、前記第一記録材の後端と前記第二記録材の先端の間の前記距離が前記所定の距離よりも短い場合、前記制御部は前記駆動部を制御し、前記第一記録材の後端が前記第二搬送部を通過した後に前記第二記録材の搬送速度を所定の速度から前記所定の速度よりも遅い速度に変更し、
前記第一記録材の後端と前記第二記録材の先端の間の前記距離が前記所定の距離よりも長い場合、前記制御部は前記駆動部を制御し、前記第二記録材の先端が前記第二搬送部に到達する前に前記第二記録材の搬送速度を前記所定の速度から前記所定の速度よりも速い速度に変更することを特徴とする画像形成装置。
【請求項５】
前記第一記録材の後端と前記第二記録材の先端の間の前記距離が前記所定の距離よりも短い場合、又は、前記第一検知部によって検知した前記第一記録材の後端と前記第二記録材の先端の間の前記距離が前記所定の距離よりも長い場合、前記制御部は前記第一検知部によって前記第二記録材の先端を検知したタイミングに基づいて前記第二記録材の搬送速度及び搬送時間を算出し、算出した前記搬送速度及び前記搬送時間で前記第二記録材を搬送させるように前記駆動部を制御することを特徴とする請求項４に記載の画像形成装置。
【請求項６】
前記制御部は前記第一検知部によって前記第一記録材の後端を検知したタイミングに基づいて、前記第一記録材の後端が前記第二搬送部を通過するタイミングを予測し、
前記第一記録材の後端と前記第二記録材の先端の間の前記距離が、前記所定の距離よりも短くかつ前記第一検知部と前記第二搬送部の間の前記距離よりも短い場合、前記制御部は前記駆動部を制御し、予測した前記タイミングまで前記第二記録材を前記所定の速度で搬送させ、予測した前記タイミングから前記第二記録材の速度の減速を開始させ、
前記第一記録材の後端と前記第二記録材の先端の間の前記距離が、前記所定の距離よりも短くかつ前記第一検知部と前記第二搬送部の間の前記距離よりも長い場合、前記制御部は前記第一検知部によって前記第二記録材の先端を検知したタイミングから前記駆動部を制御し、前記第二記録材の速度の減速を開始させることを特徴とする請求項５に記載の画像形成装置。
【請求項７】
前記第一記録材の後端と前記第二記録材の先端の間の前記距離が前記所定の距離よりも長い場合、前記制御部は前記第一検知部によって前記第二記録材の先端を検知したタイミングから前記駆動部を制御し、前記第二記録材の速度の加速を開始させることを特徴とする請求項５又は６に記載の画像形成装置。
【請求項８】
前記搬送方向において前記第二搬送部よりも下流側に設けられ、記録材の先端及び後端を検知する第二検知部と、を有し、
前記第一記録材の後端と前記第二記録材の先端の間の前記距離が前記所定の距離よりも短い場合、前記制御部は前記第二検知部によって前記第二記録材の先端を検知したタイミングに基づいて前記第二記録材の搬送速度及び搬送時間を算出し、算出した前記搬送速度及び前記搬送時間で前記第二記録材を搬送させるように前記駆動部を制御し、
前記第一記録材の後端と前記第二記録材の先端の間の前記距離が前記所定の距離よりも長い場合、前記制御部は前記第一検知部によって前記第二記録材の先端を検知したタイミングに基づいて前記第二記録材の搬送速度及び搬送時間を算出し、算出した前記搬送速度及び前記搬送時間で前記第二記録材を搬送させるように前記駆動部を制御することを特徴とする請求項４に記載の画像形成装置。
【請求項９】
前記第一記録材の後端と前記第二記録材の先端の間の前記距離が前記所定の距離よりも短い場合、前記制御部は前記第二検知部によって前記第二記録材の先端を検知したタイミングから前記駆動部を制御し、前記第二記録材の速度の減速を開始させ、
前記第一記録材の後端と前記第二記録材の先端の間の前記距離が前記所定の距離よりも長い場合、前記制御部は前記第一検知部によって前記第二記録材の先端を検知したタイミングから前記駆動部を制御し、前記第二記録材の速度の加速を開始させることを特徴とする請求項８に記載の画像形成装置。
【請求項１０】
像担持体と、
前記像担持体に形成された画像を記録材に転写する転写部と、を有し、
前記所定の速度とは、記録材が前記転写部において搬送される際の速度であることを特徴とする請求項１乃至９のいずれか１項に記載の画像形成装置。
【請求項１１】
前記第一記録材の後端と前記第二記録材の先端の間の前記距離が前記所定の距離と異なる場合、前記制御部は前記駆動部を制御し、前記第二記録材を前記所定の速度と異なる速度で搬送させることで、前記転写部における前記第一記録材の後端と前記第二記録材の先端の間の前記距離を前記所定の距離に一致させることを特徴とする請求項１０に記載の画像形成装置。
【請求項１２】
記録材を収容する収容部と、
記録材を搬送する第一搬送部と、
記録材の搬送方向において前記第一搬送部よりも下流側に設けられ、記録材の到達を検知する第一検知部と、
前記搬送方向において前記第一検知部よりも下流側に設けられ、記録材を搬送する第二搬送部と、
前記搬送方向において前記第二搬送部よりも下流側に設けられ、記録材の到達を検知する第二検知部と、
前記第一搬送部及び前記第二搬送部を駆動する駆動部と、
前記第一検知部又は前記第二検知部の検知結果に基づいて、前記駆動部を制御する制御部と、を有する画像形成装置において、
前記第一検知部による記録材の検知タイミングが基準のタイミングよりも早い場合、前記制御部は前記第二検知部による記録材の検知タイミングに応じて前記駆動部を制御し、記録材の搬送速度を所定の速度から前記所定の速度よりも遅い速度に変更し、
前記第一検知部による前記検知タイミングが前記基準のタイミングよりも遅い場合、前記制御部は前記第一検知部による前記検知タイミングに応じて前記駆動部を制御し、記録材が前記第二検知部に到達する前に記録材の搬送速度を前記所定の速度から前記所定の速度よりも速い速度に変更することを特徴とする画像形成装置。
【手続補正４】
【補正対象書類名】図面
【補正対象項目名】図３
【補正方法】変更
【補正の内容】
【図３】
2014041296.tif 000001